(57)【特許請求の範囲】
【請求項１】
一対の足置部材が可動する運動器具における各足置部材を、中央に平面部を有し内外両方向に傾斜下降する傾斜面を上面に形成した足置部と該足置部の少なくとも傾斜面下降側に立設させた滑落防止用枠部材とを一体的に形成し、運動器具による運動と内外任意の脚曲補正を単独或いは同時に行なえるようにした事を特徴とする脚曲補正器具。
【請求項２】
一対の足置部材が可動する運動器具における各足置部材を、足置部と該足置部の両側に立設させた滑落防止用枠部材とを一体的に形成すると共にこれに中央に平面部を有し内外両方向に傾斜下降する傾斜面を上面に形成した脚曲補正板を嵌脱し得るよう構成し、各足置部材に脚曲補正板を適宜に嵌脱して、運動器具による運動と脚曲補正板による内外任意の脚曲補正を単独或いは同時に行なえるようにした事を特徴とする脚曲補正器具。
【請求項３】
前記脚曲補正板が、表裏及び前後を可逆使用できる形状に形成した脚曲補正板である事を特徴とする請求項２記載の脚曲補正器具。
【発明の詳細な説明】
【０００１】
【産業上の利用分野】
本発明は、Ｏ脚やＸ脚を補正すると共に運動をも行ない得る脚曲補正器具に関するものである。
【０００２】
【従来の技術】
日本やアジアにおいては、遺伝や生活上における風習等の問題により、脚部がＯ脚やＸ脚等の脚曲になっている人々が多く存在しており、中でも日本人においては、約９０％以上の男女がこの脚曲であり、他国に比べて、圧倒的に多いのが現状である。
【０００３】
この脚曲は、スタイルやファッションに敏感な女性においては、大きな悩みであり、殆どの女性はこのような脚曲は、補正できないものとしてあきらめているのが現状である。
【０００４】
ところで近年では、健康の意識の高まりと共に運動不足の問題があり、殆どの男女は、気候等に左右されない室内運動器具を好む傾向が高く、例えば、室内運動器具としては、左右に回転用ペダル等の足置部材を備えて自転車漕ぎ運動を行ない得るようにした自転車型運動器具や、左右の足置部材を油圧シリンダーに支持させて交互或いは任意に上下移動させて山登り運動やステップ運動を行ない得るようにしたステップ型運動器具や、左右の揺動用ペダル等の足置部材が前後に揺動し得るように保持されて歩行運動を行ない得るようにした歩行型運動器具等があり、これらは何れも重宝されており、各使用者の運動目的に応じて適宜に使用されている。
【０００５】
しかし、これらの各種運動器具においても、その目的が健康意識のみに頼るものである為、継続運動をさせる事が比較的困難であり、短期間で飽きてしまうという問題がある。
【０００６】
【発明が解決しようとする課題】
そこで、本発明者は上記各問題点に鑑みて、脚曲の補正や継続運動を可能とする脚曲補正器具を開発したものである。
【０００７】
すなわち本発明は、特に困難であるとされてきた脚曲の矯正が行なえ、しかも通常の運動器具としての使用をも可能とし、多くの目的意識により長期の継続使用が行なえる脚曲補正器具を提供する事を目的とするものである。
【０００８】
【課題を解決するための手段】
そこで本発明の脚曲補正器具は、上記目的を達成すべく以下のように構成されるものである。
【０００９】
すなわち、本発明の脚曲補正器具は、少なくとも一対の足置部材を備えた器具であって、該器具の足置部材を、内外一方向或いは両方向に傾斜下降する傾斜面を上面に形成した足置部と、該足置部の少なくとも傾斜面下降側に立設させた滑落防止用枠部材とで構成した事を特徴とするものである。
【００１０】
また、本発明の脚曲補正器具は、少なくとも一対の足置部材を備えた器具において、該器具の各足置部材に脚曲補正板を嵌脱し得るよう構成した事を特徴とするものである。
【００１１】
更に、本発明の脚曲補正器具は、少なくとも一対の足置部材を備えた器具の足置部材に嵌脱可能な脚曲補正板が、足置部材の内外一方向或いは両方向に傾斜下降する傾斜面を形成した脚曲補正板である事を特徴とするものである。
【００１２】
更にまた本発明の脚曲補正器具は、少なくとも一対の足置部材を備えた器具の足置部材に嵌脱可能な脚曲補正板を、その表裏或いは前後を可逆使用できる形状に形成した事を特徴とするものである。
【００１３】
【作用】
本発明の脚曲補正器具は、上記のように構成する事により、次のような作用をもたらす。
すなわち、本発明の脚曲補正器具は、少なくとも一対の足置部材を備えた器具の足置部材を、内外一方向或いは両方向に傾斜下降する傾斜面を上面に形成した足置部と、該足置部の少なくとも傾斜面下降側に立設させた滑落防止用枠部材とで構成している為、双方の傾斜面が内方向に傾斜する足置部を備えている一対の足置部材を備えた器具の場合には、両足置部材に使用者の両足を夫々載置させて使用する事で傾斜面から滑落する事なくＯ脚の補正ができる起立姿勢及び歩行運動が行なえ、また双方の傾斜面が各々外方向に対向状に傾斜させた足置部を備えている一対の足置部材を備えた器具の場合には、両足置部材に使用者の両足を夫々載置させて使用する事で傾斜面から滑落する事なくＸ脚の補正ができる起立姿勢及び歩行運動が行なえ、更に、内外両方向に傾斜下降する傾斜面を備えた一対の足置部材を備えた器具の場合には、両足置部材に使用者の両足を好みの傾斜面位置や水平位置に夫々任意に載置させて使用する事で傾斜面から滑落する事なくＯ脚やＸ脚の補正ができる起立姿勢及び歩行運動や通常の起立姿勢及び歩行運動が任意に行なえるのである。
【００１４】
また、本発明の脚曲補正器具は、少なくとも一対の足置部材を備えた器具において、該器具の各足置部材に脚曲補正板を嵌脱し得るよう構成している為、これにおいても、これら一対の足置部材に脚曲補正板を各々内方向に対向状に傾斜させるよう嵌着させて両足置部材に使用者の両足を夫々載置させて使用する事で、Ｏ脚の補正ができる起立姿勢及び歩行運動が行なえる。
【００１５】
また、これら一対の足置部材に脚曲補正板を各々外方向に対向状に傾斜させるよう嵌着させて両足置部材に使用者の両足を夫々載置させて使用する事で。Ｘ脚の補正ができる起立姿勢及び歩行運動が行なえる。
【００１６】
更に、前記器具の一対の足置部材から脚曲補正板を離脱させて両足置部材に使用者の両足を夫々載置させて使用する事で、正常な真直ぐな脚部状態での起立姿勢及び歩行運動が行なえる。
【００１７】
更に、本発明の脚曲補正器具は、少なくとも一対の足置部材を備えた器具の足置部材に嵌脱可能な脚曲補正板を、足置部材の内外一方向或いは両方向に傾斜下降する傾斜面を形成した脚曲補正板にしている為、脚曲補正板を安価且つ容易に製造でき、前述と同様にこれら一対の足置部材に脚曲補正板を各々内方向や外方向に対向状に傾斜させるよう嵌着させて両足置部材に使用者の両足を夫々載置させて使用する事で。Ｏ脚やＸ脚の補正ができる起立姿勢及び歩行運動が行なえると共に、前記器具の一対の足置部材から脚曲補正板を離脱させて両足置部材に使用者の両足を夫々載置させて使用する事で、正常な真直ぐな脚部状態での起立姿勢及び歩行運動が行なえる。
【００１８】
更にまた本発明の脚曲補正器具は、少なくとも一対の足置部材を備えた器具の足置部材に嵌脱可能な脚曲補正板を、その表裏或いは前後を可逆使用できる形状の脚曲補正板に形成している為、一対の足置部材に脚曲補正板を各々内方向に対向状に傾斜させた後、や外方向に対向状に傾斜させたい場合には、両脚曲補正板を裏返したり前後に１８０度回転させたりして嵌着するだけで良く、二種類の脚曲補正板を制作する必要が無く、安価で且つ容易に製造できる。
【００１９】
また、これら上記の足置部材や脚曲補正板は、ステップ運動用の運動器具や、山登り運動用の運動器具の他、自転車漕ぎ運動用の運動器具、ボート漕ぎ運動用の運動器具及び歩行運動用の運動器具にも適用できるものであり、夫々器具の特性による運動機能と、Ｏ脚やＸ脚の補正機能を兼ね備えた脚曲矯正器具にする事ができるものである。
【００２０】
【実施例】
以下、本発明の脚曲補正器具を、添付図面に示す一実施例に基づきこれを詳細に説明する。
図１・図２・図３は本発明の脚曲補正器具の一実施例を示す斜面図であり、図４は図３に示した本発明の脚曲補正器具における脚曲補正板の状態を示す説明図であり、図５は本発明の脚曲補正器具における足置部材の一実施例を示す斜面図であり、図６乃至図８は図５に示した本発明の脚曲補正器具における足置部材の説明図であり、図９乃至図１２は本発明の脚曲補正器具における他の実施例を示す説明図であり、図１３乃至図１５は本発明の脚曲補正器具における脚曲補正板の一実施例を示す斜面図である。また図１６は回転移動機構を設けた本発明の脚曲補正器具の一実施例を示す斜面図であり、図１７は揺動移動機構を設けた本発明の脚曲補正器具の一実施例を示す斜面図である。
【００２１】
すなわち、請求項１に係る本発明の脚曲補正器具は、少なくとも一対の足置部材１１・１１を備えた器具１であって、該器具１の足置部材１１を、内外一方向或いは両方向に傾斜下降する傾斜面１１４を上面に形成した足置部１１１と、該足置部１１１の少なくとも傾斜面１１４下降側に立設させた滑落防止用枠部材１１２とで構成したものであり、図１乃至図４に示す実施例で例示している。
【００２２】
また、請求項２に係る本発明の脚曲補正器具は、少なくとも一対の足置部材１１・１１を備えた器具１において、該器具１の各足置部材１１・１１に脚曲補正板２を嵌脱し得るよう構成したものであり、図５乃至図１２に示す実施例で例示している。
【００２３】
更に、請求項３に係る本発明の脚曲補正器具は、少なくとも一対の足置部材１１・１１を備えた器具１の足置部材１１に嵌脱可能な脚曲補正板２が、足置部材１１の内外一方向或いは両方向に傾斜下降する傾斜面１１４を形成した脚曲補正板２にしたものであり、図１３乃至図１５に示す実施例で例示している。
【００２４】
更にまた請求項４に係る本発明の脚曲補正器具は、少なくとも一対の足置部材１１・１１を備えた器具１の足置部材１１に嵌脱可能な脚曲補正板２を、その表裏或いは前後を可逆使用できる形状に形成したものであり、図１４及び図１５に示す実施例で例示している。
【００２５】
尚、本発明の少なくとも一対の足置部材１１・１１を備えた器具１は、図１乃至図３、図９乃至図１２の実施例では、一対の足置部材１１・１１を、夫々上下移動可能にする上下移動機構５を設けて、山登り運動やステップ運動ができるよう構成したものを例示している。
【００２６】
また本発明の少なくとも一対の足置部材１１・１１を備えた器具１は、図１６の実施例では、一対の足置部材１１・１１を、夫々回転移動可能にする回転移動機構６を設けて、自転車漕ぎ運動をできるよう構成したものを例示している。
【００２７】
更に本発明の少なくとも一対の足置部材１１・１１を備えた器具１は、図１７の実施例では、一対の足置部材１１・１１を、夫々揺動移動可能にする揺動移動機構７を設けて、歩行運動ができるよう構成したものを例示している。
【００２８】
図１乃至図３、図９乃至図１２の実施例で示した本発明の器具１は、上面に載設される足置部材１１・１１を水平、或いは前部が下方になるよう稍傾斜させて安定させる基台１２と、該基台１２と共に各足置部材１１・１１を夫々上下移動可能にする上下移動機構５とで構成したものであり、該上下移動機構５は、前記両足置部材１１・１１を保持させて前部を支点として後部を上下に移動させ得る一対の上下可動部材１３・１３と、これら両上下可動部材１３・１３の後部側下部と前記基台１２前部間に介設された油圧シリンダー等からなる各伸縮部材１４・１４とで構成したものを例示している。
【００２９】
図１乃至図４に示す器具１の足置部材１１は、使用者の両足を夫々載置させて交互に足踏みを行なう事で山登り運動やステップ運動が行なえるようにするものである。
【００３０】
ところで、この各足置部材１１・１１は、図１のものでは、双方が内方向に傾斜下降する傾斜面１１４を各足置部１１１・１１１の上面に形成し、各足置部１１１・１１１の両側（少なくとも傾斜面１１４下降側のみで良い。）には、両足がこの各各足置部１１１・１１１からの離脱や滑落を防止し得る滑落防止用枠部材１１２がこれを覆うように立設されているものを例示しており、このような足置部材１１を用いた器具１を使用して、起立姿勢や足踏運動を行なう事でＯ脚の補正を行なう事ができる。
【００３１】
また、図２のものでは、前記した図１のものとは逆に、双方が外方向に傾斜下降する傾斜面１１４を各足置部１１１・１１１の上面に形成し、各足置部１１１・１１１の両側（少なくとも傾斜面１１４下降側のみで良い。）には、両足がこの各各足置部１１１・１１１からの離脱や滑落を防止し得る滑落防止用枠部材１１２がこれを覆うように立設されているものを例示しており、このような足置部材１１を用いた器具１を使用して、起立姿勢や足踏運動を行なう事で、Ｘ脚の補正を行なう事ができる。
【００３２】
更に、図３のものでは、中央に平面部を有し、内外両方向に傾斜下降する傾斜面１１４・１１４を上面に形成した各足置部１１１・１１１を備え、各足置部１１１・１１１の両側には、両足がこの各各足置部１１１・１１１から離脱や滑落を防止し得る滑落防止用枠部材１１２がこれを覆うように立設された図４のような足置部材１１を配置したものを例示しており、このような足置部材１１を用いた器具１を使用して、各足置部材１１の双方内方向の傾斜面１１４に両足を載置して起立姿勢や足踏運動を行なう事で、Ｏ脚の補正が行なえ、各足置部材１１の双方外方向の傾斜面１１４に両足を載置して起立姿勢や足踏運動を行なう事で、Ｘ脚の補正が行なえ、各足置部材１１の中央平面部に両足を載置して起立姿勢や足踏運動を行なう事で、通常の山登り運動やステップ運動を行なう事ができるのである。
【００３３】
図５乃至図１２で示した本発明の脚曲補正器具は、前述したように器具１の各足置部材１１・１１に脚曲補正板２を嵌脱し得るよう構成したものであり、図５に示したものでは、足置部材１１の前方側から、先端に刻設された雄螺子部４２を有する図８に示したようなノブ螺子４１をスプリング等の発條部材４５を介して雄螺子部４２が内部に突出し得るよう貫通させ、該足置部材１１の前部に係止部材４６で固定させた足置部材１１を形成し、且つ、図６・図７に示したように脚曲補正板２の前後の少なくとも一方に雌螺子部２３（図面では前後双方に雌螺子部２３を設けたものを例示している。）を設け、図７に示したように脚曲補正版２を足置部材１１に嵌入させて、該雌螺子部２３にノブ螺子４１の雄螺子部４２を螺合させる事で、図６に示したように、脚曲補正板２を足置部材１１に嵌着保持させるようにしたものを示している。尚、上記したノブ螺子４１と雌螺子部２３との螺合状態を解除する事で、脚曲補正板２を足置部材１１から容易に離脱させる事ができる。
【００３４】
図９に示したものは、前記したように、前後の少なくとも一方に雌螺子部２３（図面では前後双方に雌螺子部２３を設けたものを例示している。）を設けた脚曲補正板２を足置部材１１に嵌入させて、足置部材１１の前方側で前記雌螺子部２３にノブ螺子４１を螺合させて固定するようにした簡単な構造のものを例示している。
【００３５】
図１０に示した本発明の脚曲補正器具も、前述したように器具１の各足置部材１１・１１に脚曲補正板２を嵌脱し得るよう構成したものであり、滑落防止用枠部材１１２に包囲された足置部１１１に脚曲補正板２を嵌入載置して、例えば、双方が内方向に傾斜下降する傾斜面１１４を形成させて、各足置部材１１・１１の双方内方向の傾斜面１１４に両足を載置して起立姿勢や足踏運動を行なう事でＯ脚の補正が行なえ、また、この脚曲補正板２の状態から１８０回転させるか又は表裏を変換して、この脚曲補正板２の傾斜面１１４が各足置部材１１の双方外方向に傾斜下降するよう嵌入載置し、この双方外方向の両傾斜面１１４に両足を載置して起立姿勢や足踏運動を行なう事でＸ脚の補正が行なえ、更に、脚曲補正板２を各足置部材１１から離脱して、両足置部１１１・１１１に両足を載置して起立姿勢や足踏運動を行なう事で通常の山登り運動やステップ運動を行なう事ができるようにしたものを例示している。
【００３６】
尚、前記脚曲補正板２は、少なくとも一対の足置部材１１・１１を備えた器具１の足置部材１１に嵌脱可能にして少なくとも一方向に傾斜面１１４を形成させて脚曲を補正するものであるが、該脚曲補正板２は、該図９乃至図１１に示されているような上面に一方向に傾斜下降する傾斜面１１４を形成したものや、この前後の少なくとも一方に雌螺子部２３を設けたものであっても良く、その選択は脚曲補正器具の足置部材１１の形状や脚曲補正板２の固定手段の有無により、適宜に決定されるものである。
【００３７】
更に前記脚曲補正板２は、図１３に示したように、上面中央に平面部を有し、内外両方向に傾斜下降する傾斜面１１４・１１４を形成した脚曲補正板２であってもよく、これを足置部１１１に嵌入載置させて、各足置部材１１の双方内方向の傾斜面１１４に両足を載置して起立姿勢や足踏運動を行なう事で、Ｏ脚の補正が行なえ、各足置部材１１の双方外方向の傾斜面１１４に両足を載置して起立姿勢や足踏運動を行なう事で、Ｘ脚の補正が行なえ、各足置部材１１の中央平面部に両足を載置して起立姿勢や足踏運動を行なう事で、通常の山登り運動やステップ運動を行なう事ができる脚曲補正器具にする事ができる。
【００３８】
更にまた、前記脚曲補正板２は、足置部材１１に嵌脱可能で、且つその表裏或いは前後を可逆使用できる例えば平面視楕円状の形状にする事で、一種類のみの脚曲補正板２により、内外の何れの方向にも傾斜下降させる事のできる傾斜面１１４を備えた脚曲補正板２を形成できるものであり、例えば図１４に示したように平面視楕円状で一方向に傾斜下降する傾斜面１１４を備えた形状に形成され、上面には複数の指圧用突起１１５・・を片面に配備させ、裏面側には図１５に示したように傾斜面１１４の上面に滑り止めスリット１１６の複数を配備させた脚曲補正板２を採用する事で、該脚曲補正板２の表裏或いは前後を可逆使用できるのである。尚、前記した指圧用突起１１５や滑り止めスリット１１６は、必ずしも必要とするものではないが、これらを設ける事で、使用者の足部に指圧効果をもたらす事もできるようになる。
【００３９】
図１１に示した本発明の脚曲補正器具は、上記した器具１の各足置部材１１・１１に脚曲補正板２を嵌脱し得るよう構成し、且つ、一対の足置部材１１・１１の並設角度を夫々左右方向に位置可変させる事ができる並設角度可変機構３を備えたものを例示しており、この脚曲補正器具を使用する場合には、滑落防止用枠部材１１２に包囲された足置部１１１に脚曲補正板２を嵌入載置して使用する事で、前述したものと同様にＯ脚の補正やＸ脚の補正が行なえる山登り運動やステップ運動ができると共に、通常の山登り運動やステップ運動を行なう事ができ、更に並設角度可変機構３を利用して、並設角度を夫々左右方向に位置可変させて使用する事で、内股や外股の補正も行なえる山登り運動やステップ運動が行なえるものである。
【００４０】
また、図１２に示した本発明の脚曲補正器具は、滑落防止用枠部材１１２を覆うように立設された各足置部材１１・１１の設定角度を夫々少なくとも内外何れかの方向に傾斜可変可能にして、双方が内外方向に傾斜下降する傾斜面１１４を各足置部１１１・１１１の上面に形成させる事ができるようにした角度維持機構４を設けているものを例示しており、該器具１の角度維持機構４は、両上下可動部材１３・１３の後部に複数の切込部１３１・・を設け、足置部材１１には、前記上下可動部材１３に挿入し得るパイプ１１７を具備すると共に前記切込部１３１に嵌入して係合し得る係合ピン１１８を設けて構成され、切込部１３１に嵌入する角度を可変する事により、内外方向に傾斜下降する傾斜面１１４を形成する事ができ、Ｏ脚の補正やＸ脚の補正が行なえる山登り運動やステップ運動ができると共に、通常の山登り運動やステップ運動を行なう事ができる脚曲補正器具として使用できる。
【００４１】
図１６の実施例で示した本発明の脚曲補正器具は、前述した足置部材１１・１１を上面に保持させる一対の回転部材１５１と、これを夫々左右両側で回転可能に配設保持させるクランク１５と、該クランク１５の左右に保持された各足置部材１１・１１をクランク１５に連動して回転移動可能にする回転移動機構６とで構成した器具１のものを例示しており、該回転移動機構６は、チェーンやベルトで抵抗を前記クランク１５に伝達し得るようにした従来の自転車漕ぎ運動用の運動器具に採用されているもので良く、抵抗を前記クランク１５に伝達し得る構成のものであればどのような者であっても良い。
【００４２】
図１７の実施例で示した本発明の脚曲補正器具は、前述した足置部材１１・１１を上面に安定載設した一対の揺動部材１６と、各揺動部材１６・１６と共に各足置部材１１・１１を夫々揺動移動可能にする揺動移動機構７とで構成した器具１のものを例示しており、該揺動移動機構７は、配置基台１７の前部に立設した支持部材１８と、該支持部材１８の左右で夫々一定間隔を存して吊持状に垂下した左右各一対の吊下部材１９・１９・１９・１９とから成り、各一対の吊下部材１９・１９と前記各揺動部材１６とを枢止させる事で、各揺動部材１６・１６と共に各足置部材１１・１１を夫々揺動移動可能にして歩行運動ができるようにしたものを示した。
【００４３】
尚、この該揺動移動機構７は、上記実施例で示したものに限らず、各足置部材１１・１１を夫々揺動移動可能にするものであれば、どのようなものであっても良い。
【００４４】
【発明の効果】
よって本発明の脚曲補正器具は、従来から補正不可能と思われていたＯ脚やＸ脚等の脚曲を正常に補正できるものである。
【００４５】
また、本発明の脚曲補正器具は、従来から補正不可能と思われていた内股や外股等の脚曲をも補正可能なものでもある。
【００４６】
更に、本発明の脚曲補正器具は、Ｏ脚やＸ脚等の脚曲補正や内股や外股等の脚曲補正を安定した姿勢で安全に行なえる。
【００４７】
更にまた本発明の脚曲補正器具は、少なくとも一対の足置部材を備えた器具の足置部材に嵌脱可能な脚曲補正板を、その表裏或いは前後を可逆使用できる形状の脚曲補正板に形成している為、一対の足置部材に脚曲補正板を各々内方向に対向状に傾斜させた後、や外方向に対向状に傾斜させたい場合には、両脚曲補正板を裏返したり前後に１８０度回転させたりして嵌着するだけで良く、二種類の脚曲補正板を製作する必要が無く、安価で且つ容易に製造できるものである。
【００４８】
また、足置部材や脚曲補正板を備えた本発明の脚曲補正器具は、上記従来の単なる運動器具とは異なり、ステップ運動用の運動器具や、山登り運動用の運動器具の他、自転車漕ぎ運動用の運動器具、ボート漕ぎ運動用の運動器具及び歩行運動用の運動器具等、足置部材を有するものであれば各種の運動器具にも適用できるものであり、夫々器具の特性による運動機能としての使用は勿論であるが、Ｏ脚やＸ脚の補正機能や内股や外股等の脚曲補正機能を兼ね備えた脚曲矯正器具にする事ができるものである為、使用者が脚曲補正という明確な目的意識により長期の継続使用及び継続運動を可能にする事ができるものである。
【図面の簡単な説明】
【図１】本発明の脚曲補正器具の一実施例を示す斜面図である。
【図２】本発明の脚曲補正器具の一実施例を示す斜面図である。
【図３】本発明の脚曲補正器具の一実施例を示す斜面図である。
【図４】図３に示した本発明の脚曲補正器具における脚曲補正板の状態を示す説明図である。
【図５】本発明の脚曲補正器具における足置部材の一実施例を示す斜面図である。
【図６】図５に示した本発明の脚曲補正器具における足置部材の説明図である。
【図７】図５に示した本発明の脚曲補正器具における足置部材の説明図である。
【図８】図５に示した本発明の脚曲補正器具における足置部材の説明図である。
【図９】本発明の脚曲補正器具における他の実施例を示す説明図である。
【図１０】本発明の脚曲補正器具における他の実施例を示す説明図である。
【図１１】本発明の脚曲補正器具における他の実施例を示す説明図である。
【図１２】本発明の脚曲補正器具における他の実施例を示す説明図である。
【図１３】本発明の脚曲補正器具における脚曲補正板の一実施例を示す斜面図である。
【図１４】本発明の脚曲補正器具における脚曲補正板の一実施例を示す斜面図である。
【図１５】本発明の脚曲補正器具における脚曲補正板の一実施例を示す斜面図である。
【図１６】回転移動機構を設けた本発明の脚曲補正器具の一実施例を示す斜面図である。
【図１７】揺動移動機構を設けた本発明の脚曲補正器具の一実施例を示す斜面図である。
【符号の説明】
１  器具
１１  足置部材
１１１  足置部
１１２  滑落防止用枠部材
１１４  傾斜面
２  脚曲補正板
３  並設角度可変機構
４  角度維持機構
５  上下移動機構
６  回転移動機構
７  揺動移動機構
【図１】
0003712233.tif 000002
【図２】
0003712233.tif 000003
【図３】
0003712233.tif 000004
【図４】
0003712233.tif 000005
【図５】
0003712233.tif 000006
【図６】
0003712233.tif 000007
【図７】
0003712233.tif 000008
【図８】
0003712233.tif 000009
【図９】
0003712233.tif 000010
【図１０】
0003712233.tif 000011
【図１１】
0003712233.tif 000012
【図１２】
0003712233.tif 000013
【図１３】
0003712233.tif 000014
【図１４】
0003712233.tif 000015
【図１５】
0003712233.tif 000016
【図１６】
0003712233.tif 000017
【図１７】
0003712233.tif 000018